(57)【要約】      （修正有）【課題】カメラを保持した状態で微妙な調整ができ任意の撮影ポイントを瞬時に選定して撮影できるカメラ載置器具を提供する。【解決手段】カメラ載置器具１０は、フラットの上面と長手方向に連続する山なり１５の下面とを備える上方側支持体１１と、長手方向に連続する谷なり２２の上面を備え上方側支持体１１と当接して摺動自在となる下方側支持体１２とを有し、上方側支持体１１の上面に設けた収納部の回転ねじでカメラ１３を着脱自在に載置可能とすると共に、下方側支持体１２のフラットな下面に設けるジョイント受け部と連結させて設けるジョイント支持部で下方側支持体１２の長手方向がシーソー状態に可動可能とさせて任意角度選定での締め付け可能とし、しかもジョイント支持部の底部に設けるねじ穴体に支柱１４を取り付け可能とさせて下方側支持体１２の任意高さ選定での固定可能とする。【選択図】図１
0003172366.tif 000002
【実用新案登録請求の範囲】
【請求項１】
平面視して長方形状で、フラットからなる上面と、長手方向に同一円弧で連続する山なりからなる下面とを備える蒲鉾形の上方側支持体と、前記長方形状と略同じ形状の長手方向に前記山なりの円弧と同一円弧で連続する谷なりからなる上面を備え、前記上方側支持体の前記下面と当接して摺動自在となる下方側支持体とを有し、前記上方側支持体の上面の一部を切り欠いて設けた収納部に回動自在の回転ねじを収納させ、該回転ねじで前記上方側支持体上にカメラを着脱自在に載置可能とすると共に、前記下方側支持体のフラットな下面の中央部に接合させて設けるジョイント受け部と、該ジョイント受け部にボルトと蝶ナットを介して連結させて設けるジョイント支持部で前記下方側支持体の前記長手方向がシーソー状態に可動可能とさせて任意角度選定での締め付け可能とし、しかも、前記ジョイント支持部の底部に設けるねじ穴体に三脚又は一脚からなる支柱を取り付け可能とさせて前記下方側支持体の任意高さ選定での固定可能とすることを特徴とするカメラ載置器具。
【請求項２】
請求項１記載のカメラ載置器具において、前記上方側支持体の前記山なりの表面、及び前記下方側支持体の前記谷なりの表面に滑り止め性、及び／又は耐磨耗性を備えた保護膜体を有することを特徴とするカメラ載置器具。
【考案の詳細な説明】
【技術分野】
【０００１】
本考案は、カメラを安定よく保持し、希望する任意の撮影ポイントを瞬時に選定して撮影操作の迅速性を向上できるカメラ載置器具に関する。
【背景技術】
【０００２】
従来から撮影者が注意することの１つには、撮影時のピント合わせがある。そこで、この撮影時のピント合わせには、鮮明さを向上させるために、カメラを撮影機材の一つである三脚、又は一脚からなる支柱に直接固定させて撮影することが大きな力となっている。一方、カメラ自体は、技術開発の目覚ましい進歩によって、様々な性能向上、例えば、感度向上、自動焦点（ＡＦ：Ａｕｔｏ  Ｆｏｃｕｓ）の改善、シャッタースピードの向上、ブレ防止機構の開発等によって大いに性能が向上し、併せて機動性も向上して撮影時のピント合わせの大きな力となっている。
【０００３】
上記のような状況の中で、写真作画を目的とする撮影者には、カメラ自体の性能が向上したとしても、よりよい撮影時の鮮明なピント合わせを求めることから、カメラを三脚や、一脚からなる支柱に直接取り付けた状態でカメラを保持して用いることが必要となっている。また、この三脚や、一脚からなる支柱には、カメラを直接取り付けるときに緩みが発生しないようにして確実に取り付け、緩みによる撮影時の鮮明なピント合わせの失敗を防止することが必要となっている。
【０００４】
しかしながら、この三脚や、一脚からなる支柱のようなカメラ載置器具では、設営に時間が掛かる上に、カメラを取り付けるのに時間が掛かるという問題以外に、平行度調整や、角度調整等の撮影時の操作の迅速性に欠け、折角の撮影チャンスを逃してしまう場合が生じている。また、三脚や、一脚からなる支柱のようなカメラ載置器具では、カメラを取り替えての撮影が必要な場合には、その都度支柱の取り替えが必要となり、折角のシャッターチャンスを逃すこととなっている。
【０００５】
そこで、従来の三脚や、一脚からなる支柱のようなカメラ載置器具には、ワンタッチ固定器具という発明の名称のもとに、被固定物の支持体である基台に取り付ける脱着機構体と、この脱着機構体と嵌合可能に被固定物に取り付ける嵌合体とからなるワンタッチ固定器具であって、脱着機構体は、基台に固定する台部と、この台部上での拡径位置と縮径位置との間で移動可能に支持された少なくとも一対の移動駒と、レバーの回動操作により移動駒を拡径位置に方向に押動するカム機構と、移動駒を縮径位置方向に付勢する付勢手段とを有し、嵌合体は、移動駒が縮径位置から拡径位置に移動する際に移動駒の外面が当接して移動駒との間で締め付け力を生じさせる押接面を有するのが提案されている（例えば、特許文献１参照）。
これによれば、このようなカメラ載置器具では、カメラを三脚に取り付けるといった脱着操作がワンタッチで可能であるとしている。
【先行技術文献】
【特許文献】
【０００６】
【特許文献１】特開２０００−９７３９５号公報
【考案の概要】
【考案が解決しようとする課題】
【０００７】
しかしながら、前述したような従来のカメラ載置器具は、いまだ解決すべき次のような問題がある。
（１）従来の三脚や、一脚からなる支柱のようなカメラ載置器具は、直接取り付けたカメラを左傾や、右傾にさせる平行度調整や、微妙な俯角や、仰角にさせる角度調整を瞬時に行うことが難しく、任意の希望する被写体の撮影ポイントを瞬時に捕らえることができなくなっている。また、従来の三脚や、一脚からなる支柱のようなカメラ載置器具は、カメラを取り付けた状態で持ち上げて、更に微妙な平行度調整や、角度調整を行うことが難しく、任意の希望する被写体の撮影ポイントを瞬時に捕らえることができなくなっている。
（２）特開２０００−９７３９５号公報で開示されるような三脚や、一脚からなる支柱のようなワンタッチ固定器具は、カメラを瞬時に取り外せるものの、カメラを保持しただけでは、写真作画を目的とする撮影者が希望するような被写体を得るための撮影時の鮮明なピント合わせを行うことが難しくなっている。
【０００８】
本考案は、かかる事情に鑑みてなされたものであって、カメラを保持した状態で微妙な調整ができ希望する任意の撮影ポイントを瞬時に選定して撮影できるカメラ載置器具を提供することを目的とする。
【課題を解決するための手段】
【０００９】
前記目的に沿う本考案に係るカメラ載置器具は、平面視して長方形状で、フラットからなる上面と、長手方向に同一円弧で連続する山なりからなる下面とを備える蒲鉾形の上方側支持体と、長方形状と略同じ形状の長手方向に山なりの円弧と同一円弧で連続する谷なりからなる上面を備え、上方側支持体の下面と当接して摺動自在となる下方側支持体とを有し、上方側支持体の上面の一部を切り欠いて設けた収納部に回動自在の回転ねじを収納させ、回転ねじで上方側支持体上にカメラを着脱自在に載置可能とすると共に、下方側支持体のフラットな下面の中央部に接合させて設けるジョイント受け部と、ジョイント受け部にボルトと蝶ナットを介して連結させて設けるジョイント支持部で下方側支持体の長手方向がシーソー状態に可動可能とさせて任意角度選定での締め付け可能とし、しかも、ジョイント支持部の底部に設けるねじ穴体に三脚又は一脚からなる支柱を取り付け可能とさせて下方側支持体の任意高さ選定での固定可能とする。
【００１０】
上記のカメラ載置器具は、上方側支持体の山なりの表面、及び下方側支持体の谷なりの表面に滑り止め性、及び／又は耐磨耗性を備えた保護膜体を有するのがよい。
【考案の効果】
【００１１】
上記本考案のカメラ載置器具は、平面視して長方形状で、フラットからなる上面と、長手方向に同一円弧で連続する山なりからなる下面とを備える蒲鉾形の上方側支持体と、長方形状と略同じ形状の長手方向に山なりの円弧と同一円弧で連続する谷なりからなる上面を備え、上方側支持体の下面と当接して摺動自在となる下方側支持体とを有し、上方側支持体の上面の一部を切り欠いて設けた収納部に回動自在の回転ねじを収納させ、回転ねじで上方側支持体上にカメラを着脱自在に載置可能とすると共に、下方側支持体のフラットな下面の中央部に接合させて設けるジョイント受け部と、ジョイント受け部にボルトと蝶ナットを介して連結させて設けるジョイント支持部で下方側支持体の長手方向がシーソー状態に可動可能とさせて任意角度選定での締め付け可能とし、しかも、ジョイント支持部の底部に設けるねじ穴体に三脚又は一脚からなる支柱を取り付け可能とさせて下方側支持体の任意高さ選定での固定可能とするので、写真作画を目的とする撮影者が下方側支持体の上面の谷なりを上にして谷なりの上に、上方側支持体の上面に取り付けたカメラをシャッターを押す側の一方の手で把持しながら上方側支持体の下面の山なりを当接させて、他方の手で下方側支持体と上方側支持体を把持しながら下方側支持体の谷なりと、上方側支持体の山なりを摺動させることで微妙な左傾や、右傾の平行度調整が容易にでき、瞬時の撮影ポイントの選定を行うことができる。また、下方側支持体に設けるジョイント受け部と、ジョイント支持部を連結しているボルトと蝶ナットは、蝶ナットを弛めて調整した後、蝶ナットを締め直すことで微妙な俯角や、仰角の角度調整が容易にでき、瞬時の撮影ポイントの選定を行うことができる。更には、下方側支持体に設けるねじ穴体には、三脚又は一脚からなる支柱を取り付けて下方側支持体、すなわち、下方側支持体に当接させた上方側支持体上に取り付けたカメラの高さ位置を固定化させることができ、瞬時の撮影ポイントの選定を行うことができる。また、更に、例え、下方側支持体に三脚又は一脚からなる支柱を取り付けた状態で持ち上げたとしても、下方側支持体上に当接している上方側支持体上のカメラは、写真作画を目的とする撮影者が他方の手で下方側支持体と上方側支持体を把持しながら下方側支持体の谷なりと、上方側支持体の山なりを安定して摺動させることができ、瞬時の撮影ポイントの選定を行うことができる。更には、複数のカメラを取り替えて撮影を行いたい場合には、予め、それぞれのカメラに予備の上方側支持体を取り付けておき、三脚又は一脚からなる支柱を取り付けた下方側支持体上に当接させて用いることができ、素早い作業で希望の撮影ポイントの瞬時の選定を行うことができる。
【００１２】
特に、上記のカメラ載置器具は、上方側支持体の山なりの表面、及び下方側支持体の谷なりの表面に滑り止め性、及び／又は耐磨耗性を備えた保護膜体を有するので、撮影者が下方側支持体の上面の谷なりの上に、上方側支持体の下面の山なりを当接させた状態で、下方側支持体と上方側支持体を把持しながら谷なりと、山なりとの過度の滑り過ぎを滑り止め性を備えた保護膜体で防止しながら摺動させることができる。また、撮影者は、長期の使用による谷なりと、山なりとの当接の密着性を耐磨耗性を備えた保護膜体で長期間維持することができ、微妙な左傾や、右傾の平行度調整が容易にでき、瞬時の撮影ポイントの選定を行うことができる。
【図面の簡単な説明】
【００１３】
【図１】本考案の一実施の形態に係るカメラ載置器具の説明図である。
【図２】（Ａ）、（Ｂ）は同カメラ載置器具の上方側支持体の説明図である。
【図３】（Ａ）、（Ｂ）は同カメラ載置器具の下方側支持体の説明図である。
【考案を実施するための形態】
【００１４】
図１、図２（Ａ）、（Ｂ）、図３（Ａ）、（Ｂ）を参照しながら、本考案の一実施の形態に係るカメラ載置器具を説明する。
図１に示すように、本考案の一実施の形態に係るカメラ載置器具１０は、上方側支持体１１と、下方側支持体１２とを有している。そして、このカメラ載置器具１０は、上方側支持体１１の下面と、下方側支持体１２の上面とが当接して摺動可能となっている。また、上方側支持体１１上には、カメラ１３が着脱自在に載置可能となっている。更に、下方側支持体１２底部には、三脚又は一脚からなる支柱１４が取り付け可能となっている。
【００１５】
図２（Ａ）、（Ｂ）に示すように、上記のカメラ載置器具１０の上方側支持体１１は、平面視して長方形状であって、フラットからなる上面と、長手方向に同一円弧で連続する山なり１５からなる下面とを備える蒲鉾形に形成されている。また、この上方側支持体１１には、上面の一部を切り欠いて収納部１６を設け、収納部１６内に回転ねじ１７を載置し、中央部に貫通孔１８を設ける蓋体１９で、貫通孔１８から回転ねじ１７のねじ部２０を突出させるようにして収納させている。この回転ねじ１７は、ねじ部２０に対して大きな鍔部２１を有し、この鍔部２１の一部を長手方向の両側に露出させ、鍔部２１を指で回すことで、回動自在にできるようにしている。そして、上方側支持体１１には、カメラ１３をフラットな上面に載置させ、カメラ１３の底部に設けられている取り付け用穴に回転ねじ１７のねじ部２０を当接させ、鍔部２１を回動させて装着ができるようにしている。また、上方側支持体１１からカメラ１３を脱着させるには、回転ねじ１７の鍔部２１を装着の場合と反対方向に回動させて取り付け用穴から取り外しができるようにしている。
【００１６】
図３（Ａ）、（Ｂ）に示すように、上記のカメラ載置器具１０の下方側支持体１２は、上記の上方側支持体１１の長方形状と略同じ形状の平面視して長方形状であって、フラットからなる下面と、長手方向に上記の山なり１５の円弧と同一円弧で連続する谷なり２２からなる上面を備えている。そして、カメラ載置器具１０は、上記の上方側支持体１１の下面の山なり１５と、下方側支持体１２の上面の谷なり２２とが当接して摺動自在とすることができる。この摺動自在によって、撮影者は、下方側支持体１２の谷なり２２の上に、上方側支持体１１の上面に取り付けたカメラ１３をシャッターを押す側の一方の手で把持して上方側支持体１１の下面の山なり１５を当接させ、他方の手で下方側支持体１２と上方側支持体１１を把持しながら下方側支持体１２の谷なり２２と、上方側支持体１１の山なり１５を摺動させることで微妙な左傾や、右傾の平行度調整が容易にでき、瞬時の撮影ポイントの選定を行うことができるようになっている。また、下方側支持体１２と上方側支持体１１を把持する撮影者の他方の手は、カメラ１３のレンズ操作リングの近くに添えられているので、容易に瞬時の撮影ポイントのピント選定を行うことができるようになっている。
【００１７】
上記のカメラ載置器具１０の下方側支持体１２は、フラットな下面の中央部に２枚の平板体の間に間隔を設けて垂直に立設させて接合させて設けるジョイント受け部２３と、このジョイント受け部２３にボルト２４と蝶ナット２５を介して連結させて設けるジョイント支持部２６を設けている。そして、下方側支持体１２は、ジョイント受け部２３と、ジョイント支持部２６とで、下方側支持体１２の長手方向がシーソー状態に可動可能とさせて、任意角度選定での締め付け可能としている。このジョイント受け部２３と、ジョイント支持部２６は、ジョイント受け部２３がジョイント支持部２６を両側から平板体で挟み込むような形状をしており、ジョイント支持部２６が円板体の一方の表面に平板体を垂直に立設させたような形状をしている。そして、ジョイント受け部２３と、ジョイント支持部２６は、下方側支持体１２のフラットな下面に対して垂直に突出させたジョイント受け部２３の間にジョイント支持部２６の平板体が入り込むようにさせて、それぞれの平板体に設けた挿通孔にボルト２４を挿通させ、このボルト２４の先端部に蝶ナット２５を取り付けで締め付けることで連結させるようになっている。このジョイント受け部２３と、ジョイント支持部２６によって、撮影者は、ジョイント受け部２３と、ジョイント支持部２６を連結しているボルト２４と蝶ナット２５の蝶ナット２５をカメラ１３のシャッターを押す側の一方の手で弛めて調整した後、蝶ナット２５を締め直すことで微妙な俯角や、仰角の任意の角度調整が容易にでき、瞬時の撮影ポイントの選定を行うことができるようになっている。
【００１８】
しかも、上記のカメラ載置器具１０の下方側支持体１２は、ジョイント支持部２６の底部、すなわち、ジョイント支持部２６の円板体の他方の表面から穴を穿設し、そこに埋め込むで設けるねじ穴体２７に、三脚又は一脚からなる支柱１４を取り付け可能とさせて、下方側支持体１２の任意高さ選定での固定可能としている。このねじ穴体２７によって、撮影者は、三脚又は一脚からなる支柱１４が取り付け可能となり、下方側支持体１２に当接させた上方側支持体１１上に取り付けたカメラ１３の高さ位置を固定化させることができ、瞬時の撮影ポイントの選定を行うことができるようになっている。また、撮影者は、下方側支持体１２に三脚又は一脚からなる支柱１４を取り付けた状態で持ち上げたとしても、下方側支持体１２上に当接している上方側支持体１１上のカメラ１３を他方の手で下方側支持体１２と上方側支持体１１を把持しながら下方側支持体１２の谷なり２２と、上方側支持体１１の山なり１５を安定して摺動させることができ、瞬時の撮影ポイントの選定を行うことができるようになっている。なお、上記のねじ穴体２７の穴径は、上方側支持体１１に設けた回転ねじ１７のねじ部２０の径、すなわち、カメラ１３に設けられている穴径の大きさと同じとなっている。
【００１９】
上記のカメラ載置器具１０は、図示しないが、上方側支持体１１の下面の山なり１５の表面、及び下方側支持体１２の上面の谷なり２２の表面に滑り止め性、及び／又は耐磨耗性を備えた保護膜体を有するのがよい。この保護膜体は、特に、材質を限定するものではないが、滑り止め性と、耐磨耗性を兼ね備えたものが好ましく、山なり１５や谷なり２２の表面の形状に倣って接着したり、表面に吹き付けたり、刷毛塗りしたりして形成できる硬質ゴムのようなものが好ましい。
【００２０】
なお、上記のカメラ載置器具１０は、上方側支持体１１や、下方側支持体１２を構成する材質が限定されるものではないが、加工性に優れる硬質樹脂や、耐久性や、持ち運びに優れる硬質軽量金属等を用いることができる。また、上記のカメラ載置器具１０は、上方側支持体１１にはカメラ１３を取り付けた状態で持ち運んだり、この状態で撮影に使用したりすることができる。更に、上記のカメラ載置器具１０は、上方側支持体１１にはカメラ１３を取り付けた状態で持ち運んだり、この状態で撮影に使用したりすることができると共に、下方側支持体１２には三脚又は一脚からなる支柱１４を取り付けた状態で持ち運んだりして、希望する撮影ポイントに出くわしたときに即座に上方側支持体１１と下方側支持体１２を当接させて使用することができる。更には、上記のカメラ載置器具１０は、複数のカメラ１３毎に上方側支持体１１を取り付けておき、希望する撮影ポイントに出くわしてカメラ１３の取り替えが必要な場合に、即座に上方側支持体１１と下方側支持体１２を当接させて使用することができる。
【産業上の利用可能性】
【００２１】
本考案のカメラ載置器具は、カメラを安定よく保持し、希望する任意の撮影ポイントを瞬時に選定して撮影操作の迅速性を向上でき、写真作画を目的とするハイアマチュアの撮影者が優れた作品を生み出すのに利用することができる。
【符号の説明】
【００２２】
１０：カメラ載置器具、１１：上方側支持体、１２：下方側支持体、１３：カメラ、１４：支柱、１５：山なり、１６：収納部、１７：回転ねじ、１８：貫通孔、１９：蓋体、２０：ねじ部、２１：鍔部、２２：谷なり、２３：ジョイント受け部、２４：ボルト、２５：蝶ナット、２６：ジョイント支持部、２７：ねじ穴体
【図１】
0003172366.tif 000003
【図２】
0003172366.tif 000004
【図３】
0003172366.tif 000005